(57)【要約】【課題】  簡単かつ綺麗にラミネートシールを貼れる貼着体の提供【解決手段】  ラミネートシール貼着体１は、キャリアシール２と、キャリアシール２の粘着面２ａに貼着したラミネートシール３と、ラミネートシール３の粘着面３ｂに貼着した剥離シート４とで構成され、ラミネートシール３のキャリアシール２に貼着される面３ａは剥離剤が被覆されており、キャリアシール２は剥がし易い状態でラミネートシールに貼着されている。このラミネートシール貼着体１は、ラミネートシール３から剥離シート４を剥がした後、キャリアシール２がラミネートシール３に貼着された状態のまま、被貼付物５にラミネートシール３を張り付け、キャリアシール２をラミネートシール３から剥がす。キャリアシール２はラミネートシール３を綺麗に貼るのに必要な張りと可撓性を備えているから皺を生じさせずラミネートシール３を貼ることができる。【選択図】  図１
2005319749.tif 000002
【特許請求の範囲】
【請求項１】
キャリアシールと、前記キャリアシールの粘着面に貼着したラミネートシールと、前記ラミネートシールの粘着面に貼着した剥離シートとで構成されたラミネートシール貼着体であって、前記ラミネートシールのキャリアシールに貼着される面は剥離剤が被覆されており、キャリアシールは剥がし易い状態でラミネートシールに貼着されていることを特徴とするラミネートシール貼着体。
【発明の詳細な説明】
【技術分野】
【０００１】
本発明は、被貼付物にラミネートシールを綺麗に貼ることができるラミネートシール貼着体に関するものである。
【背景技術】
【０００２】
例えば、直射日光を和らげ、エアコンの効果を上げ、日焼けを防止し、かつ、目かくしを目的として窓ガラスにラミネートシールを貼る場合がある。しかし、窓ガラスにラミネートシールを貼る場合には、どうしても皺が発生し、きれいにラミネートシールを貼り付けることができない。またきれいに貼りつけることができても長時間の作業を要し、効率的な貼り付け作業が不可能であった。
【０００３】
斯かるラミネートシールを綺麗に貼る方法として、例えば、特開平１０−１６１４６号公報には、紫外線カットフィルムの貼着予定面とは反対側の面にフィルム本体の大きさを画定し得る不透明シートを仮止めして貼着位置を規定し、貼着予定面に接着用液を吹き付けると共に、紫外線カットフィルムから剥離シートを剥離し、貼着予定面にフィルム本体をウィンドガラス越しに貼着位置に重ね合わせるように貼着する紫外線カットフィルムの貼着方法が開示されている。
【特許文献１】特開平１０−１６１４６号公報
【発明の開示】
【発明が解決しようとする課題】
【０００４】
上述したラミネートシールは、それ自体、薄いシールであり、張りがなく、このことが貼着作業の際に、皺が生じる原因になっている。特に、自動車の窓や、リヤガラスなどの湾曲した面には、手作業でラミネートシールを綺麗に貼ることは難しい。また、ラミネートシールは、多くの場合、手作業で貼られることが多く、このため誰でも簡単に貼れることが望ましい。斯かる要求を全て満足するためには、特許文献１に記載された方法では不十分である。本発明はより簡単かつ綺麗にラミネートシールを貼れるラミネートシール貼着体を提案するものである。
【課題を解決するための手段】
【０００５】
本発明のラミネートシール貼着体は、キャリアシールと、キャリアシールの粘着面に貼着したラミネートシールと、ラミネートシールの粘着面に貼着した剥離シートとで構成され、ラミネートシールのキャリアシールに貼着される面は剥離剤が被覆されており、キャリアシールは剥がし易い状態でラミネートシールに貼着されている。
【発明の効果】
【０００６】
このラミネートシール貼着体は、ラミネートシールから剥離シートを剥がした後、キャリアシールがラミネートシールに貼着された状態のまま、被貼付物にラミネートシールを張り付け、その後に、キャリアシールをラミネートシールから剥がし、ラミネートシールのみが被貼付物に貼着した状態にする。
【０００７】
このラミネートシール貼着体によれば、ラミネートシールが極めて薄いシールであっても、キャリアシールがラミネートシールに貼着された状態のまま、被貼付物にラミネートシールを貼り付けることができるので、ラミネートシールに皺を生じさせずに貼り付けることができる。また、ラミネートシールのキャリアシールに貼着される面には剥離剤で被覆されており、キャリアシールは剥がし易い状態でラミネートシールに貼着されているので、被貼付物にラミネートシールを張り付け、その後に、キャリアシールをラミネートシールから剥がす際には、キャリアシールのみを綺麗に剥がすことができる。これにより、ラミネートシールに皺を生じさせずにラミネートシールを被貼付物に貼り付けることができる。
【発明を実施するための最良の形態】
【０００８】
以下、本発明の一実施形態に係るラミネートシール貼着体を図面に基づいて説明する。
【０００９】
ラミネートシール貼着体１は、図１に示すように、キャリアシール２と、ラミネートシール３と、剥離シート４で構成されている。
【００１０】
このキャリアシール２は、プラスチック製のシールであり、例えば、ポリプロピレンやポリエチレンテレフタレートなどのシートの片面に粘着剤を塗布した粘着面２ａを備えたものである。キャリアシール２は、ラミネートシール３を貼る際に、皺が生じるのを防止するものであり、ラミネートシール３を綺麗に貼るのに必要な張りと可撓性を備えている。なお、キャリアシール２は、ラミネートシール３を綺麗に貼るのに必要な張りと可撓性を備えていればよく、その材料や厚さなど種々の変更が可能である。
【００１１】
ラミネートシール３は、窓ガラス、自動車のリアウインド、自動車のボディーなどの被貼付物に貼り付けられるものであり、薄いシート状のシールである。シートには、例えば、紫外線を遮る機能を備えているものや、装飾が印刷されたものなどがある。ラミネートシール３の表面３ａは剥離剤で被覆しており、反対側の粘着面３ｂには粘着剤が塗布されている。なお、剥離剤には、例えば、シリコンが例示できるが、シリコン以外にも同様の機能を奏するものを用いることができる。ラミネートシール３は、剥離剤で被覆した面をキャリアシール２の粘着面２ａに貼り付けている。
【００１２】
剥離シート４は、この実施形態では、表面を剥離剤で被覆した剥離面４ａとされ、粘着剤が剥がし易い状態になった紙であり、ラミネートシール３の粘着面３ｂに貼られて、ラミネートシール３の粘着面３ｂを保護している。
【００１３】
図２に基づいて、このラミネートシール貼着体１を用いて、ラミネートシール３を窓ガラス５に貼り付ける作業を説明する。なお、図２中、６は窓枠（サッシ）を示している。
【００１４】
（窓ガラス５以外の被貼付物に貼り付ける場合も同様であるが、）このラミネートシール貼着体１を用いてラミネートシール３を窓ガラス５に貼り付ける作業では、まず、ラミネートシール貼着体１のうち、剥離シート４をラミネートシール３から剥がす。次に、キャリアシール２がラミネートシール３に貼着された状態のまま、ラミネートシール３を窓ガラス５に張り付ける。この際、キャリアシール２に、所要の張りがあるので、ラミネートシール３がよれたり、ラミネートシール３に皺が生じたりすることがない。また、キャリアシール２は所要の可撓性を備えているので、ラミネートシール３と窓ガラス５との間に空気が入らないように綺麗に貼ることができる。
【００１５】
そして、キャリアシール２がラミネートシール３に貼着された状態のまま、ラミネートシール３を窓ガラス５に張り付けた後、図２に示すように、キャリアシール２をラミネートシール３から剥がす。この際、ラミネートシール３の表面３ａが剥離剤で被覆されており、キャリアシール２は剥がし易い状態でラミネートシール３に貼着されているので、ラミネートシール３からキャリアシール２を綺麗に剥がすことができる。これにより、ラミネートシール３のみを窓ガラス５に貼着した状態にすることができる。
【００１６】
このラミネートシール貼着体１によれば、ラミネートシール３を窓ガラス５に貼る際には、所要の張りと可撓性を備えたキャリアシール２と一緒にラミネートシール３を窓ガラス５に貼ることができるので、ラミネートシール３がよれたり、ラミネートシール３に皺が生じたり、ラミネートシール３と窓ガラス５との間に空気が入ったりすることを防ぐことができる。
【００１７】
また、このラミネートシール貼着体１によれば、所要の張りと可撓性を備えたキャリアシール２と一緒にラミネートシール３を窓ガラス５に貼ることができるので、ラミネートシール３が薄く張りのないシールであっても綺麗に貼ることができる。また、キャリアシール２は所要の可撓性を備えているので、自動車の窓ガラスや、リアウインドや、自動車のボディーなど、多少の湾曲がある面に対しても、ラミネートシール３を綺麗に貼ることができる。また、このラミネートシール貼着体１によれば、貼り付け作業も極めて簡単であるから、誰でも簡単かつ綺麗にラミネートシール３を貼ることができる。
【００１８】
以上、本発明の一実施形態に係るラミネートシール貼着体を説明したが、本発明に係るラミネートシール貼着体は上述した実施形態に限定されるものではない。
【００１９】
例えば、上述したラミネートシール貼着体を用いて貼着されるラミネートシールの用途としては、例えば、仮に不審者が窓ガラスを割って住宅内に侵入しようとした場合に、ラミネートシールにガラスが割られるのを防止する機能を持たせておけば、斯かる不審者の進入を防止することができる。ラミネートシール貼着体は、皺無くラミネートシールを貼ることができるので、斯かるラミネートシールを窓ガラスに密着させることができ、その機能を損なわせることがない。
【００２０】
また、ラミネートシールに反射防止の機能を持たせることにより、ＴＶやパソコンのディスプレイの映り込みを防止することができる。このラミネートシール貼着体を用いれば、湾曲を持ったなどの既存のＴＶやパソコンのディスプレイにも皺無く綺麗に貼ることができ、ＴＶやパソコンを利用する者に対して目障りな印象を与えることがない。
【００２１】
また、ラミネートシールに紫外線をカットする機能を持たせたものの他の用途としては、例えば、印刷物や写真をラミネートし、これらの経年劣化を防止するラミネートシールとして用いることができる。この場合も、ラミネートシール貼着体は、印刷物や写真に皺無く綺麗に貼ることができるので、目障りな印象を与えることがない。
【図面の簡単な説明】
【００２２】
【図１】本発明の一実施形態に係るラミネートシール貼着体の断面図である。
【図２】本発明の一実施形態に係るラミネートシール貼着体の使用状態を示す正面図である。
【符号の説明】
【００２３】
１     ラミネートシール貼着体
２     キャリアシール
２ａ   粘着面
３     ラミネートシール
３ａ   表面（剥離剤）
３ｂ   粘着面
４     剥離シート
５     窓ガラス（被貼付物）
【図１】
2005319749.tif 000003
【図２】
2005319749.tif 000004